(57)【要約】      （修正有）【課題】レーザー治療において、ファイバー、エアー、水を、先端部において一本化し、構造の簡素化や治療の容易化、さらにハンドピース先端部分のみの着脱交換、あるいは洗浄や滅菌を可能とするレーザーハンドピースを提供するものである。【解決手段】  レーザー光を加療部位に導くファイバー１を中心とし、その周囲にエアーを導く中パイプ１７、その外側に水を導く外パイプ１２を配置した三重構造とすることにより、先端パイプ部分を一本化構造とする。さらにパイプの先端に、レーザー光を確実に加療部位に照射するように位置決めをし、かつエアーと水を確実に混合させ、スプレー状態とするための先端金具１１を設置した。またエアーパイプ１９と水パイプ１８を、本体継手１５を介して先端継手１３にて集約して一本化構造とした。それにより先端部のみの着脱交換が容易であり、先端部のみの洗浄やオートクレーブ滅菌も容易にできる。【選択図】図１
0003124848.tif 000002
【実用新案登録請求の範囲】
【請求項１】
レーザー光を照射するファイバーと、冷却用エアーを通すエアーパイプと、冷却用水を通す水パイプとをハンドピースの先端部分にて一体となしたことを特徴とするレーザーハンドピース。
【請求項２】
先端部にファイバーを中心に位置決めする狭窄部分を有し、かつその部分に隣接して設けたエアーと水の混合エリアにてエアーと水を混合するためのスリワリを設け、治療時に加療部位に吹き付けて冷却する構造の先端金具を備えた請求項１記載のレーザーハンドピース。
【請求項３】
先端からレーザー光、エアーおよび水のスプレーが放射でき、かつケース本体部を有するハンドピース本体に着脱できる構造の継手を備え、前記ハンドピース先端部分のみの着脱交換を可能とし、先端部分の洗浄や滅菌を可能にしたことを特徴とする、請求項１又は請求項２に記載されたレーザーハンドピース。
【考案の詳細な説明】
【技術分野】
【０００１】
本考案はレーザーハンドピースに関するものであり、さらに詳しくは歯科医療用のレーザーハンドピースに関するものである。
【背景技術】
【０００２】
従来の歯科用レーザーハンドピースでは、レーザー導光用のファイバーをハンドピース先端に導くパイプ内に水を通し、エアーを別のパイプから吹き付けて先端にて水と混合し、スプレーにして加療部を冷却していた。
【考案の開示】
【考案が解決しようとする課題】
【０００３】
図4は従来の歯科用レーザーハンドピースの構造で、水パイプ2の内部にファイバー１を通している。ファイバー１をハンドピース先端に導く水パイプ２内に冷却用の水を通すと、水パイプ２内部に錆が発生した場合、ファイバー１の動きがスムースでなくなり折れやくなる。またエアーを別に設置したエアーパイプ３から吹き付けるために、使用する角度によってはスプレー状態になり難く、加療部位を確実に冷却し難い。また水パイプ２とエアーパイプ３とが上下に重なった構造であるため、狭い口腔内では使い難いうえ外観も良くない。またハンドピースの先端部のみの着脱が出来ないから、その部分の交換や滅菌も出来なかった。本案は光ファイバーとエアー・水のパイプを一本化し、前述の欠点を解決しようとするものである。
【課題を解決するための手段】
【０００４】
請求項１の考案は、レーザー光を照射するファイバー及び冷却用エアーを通すエアーパイプと、冷却用水を通す水パイプを、ハンドピースの先端部分に一体となして装着した、レーザーハンドピースである。従って治療時の口腔内での使い勝手が良くなり、また水・エアーパイプの位置関係などによってスプレー状態が変わることもなく、いかなる位置や角度で使用しても、一定のスプレーが得られるなどの効果がある。
【０００５】
請求項２の考案は、先端部にファイバーを中心に位置決めするための狭窄部分を有し、かつその部分に隣接して設けたエアーと水の混合エリアには、冷却用エアーを導入するスリワリを有する先端金具を装着した、レーザーハンドピースである。従って治療時にレーザー光を照射するファイバーを正確にハンドピースの先端部中心に位置させて、確実に加療部位にレーザー光が照射でき、かつエアーと水の良好なスプレー状態が得られ、治療時に確実に加療部位に吹き付けて冷却できるなどの効果がある。
【０００６】
請求項３の考案は、先端部からレーザー光やエアー・水の冷却スプレーが放射でき、かつケース本体部を有するハンドピース本体と着脱容易な構造の先端継手を備え、ハンドピース本体からハンドピース先端部分のみの着脱交換が容易なレーザーハンドピースである。従ってハンドピース先端部分を取り外して、オートクレーブ滅菌や交換ができるなどの効果がある。
【考案の効果】
【０００７】
ハンドピース本体内部の本体継手にて、エアーを通すファイバー用パイプと水用パイプを結合させ、これに嵌合する先端継手により、ファイバーとエアーパイプおよび水パイプを一体化構造にする。先端のパイプが一本化されたことにより、治療時の口腔内での使い勝手が良くなり、また水・エアーパイプの位置関係などによってスプレー状態が変わることもなく、いかなる位置や角度で使用しても、一定のスプレーが得られる。
またパイプ先端に設置した先端金具により、先端部が狭窄しているためレーザー光を照射するファイバーが、正確にパイプの中心に位置するため治療の際の精度が良くなり、かつ水とエアーが噴出前に混合され、ファイバーの周囲からスプレーとなって治療部位に噴出するため、加療時のレーザー光の照射や冷却状態も安定する。
また先端継手にてファイバーとエアーパイプおよび水パイプを一体化することにより、先端のファイバーおよびパイプが一本化され、治療時あるいは治療後に先端部のみの着脱が容易な構造になり、先端部の交換や洗浄あるいはオートクレーブ等による滅菌も可能である。
【実施例】
【０００８】
以下図１ないし図３に従って一実施例を説明する。図１はハンドピースの全体を示し、レーザー機器本体よりハンドピースへそれぞれチューブによって導かれた水およびエアーは、継手を介して水パイプ１８と、エアーパイプ１９によりファイバー１及びエアーが、それぞれ本体継手１５へ導かれる。これにＯリング１４を介して嵌合する先端継手１３によって、中心のファイバー１とエアーおよび水はハンドピースの先端部分で三層の一体構造となり、中パイプ１７および外パイプ１２によってハンドピースの先端に導かれる。
【０００９】
図２（Ａ）は、ハンドピースの先端部分の構造を示す。図２（Ｂ）は先端金具１１部分の詳細図で、ファイバー１は先端金具１１の先端部の狭窄構造により、ハンドピース先端や、ファイバー１の周囲より噴出するスプレーの中心となるよう、位置決めされる。中パイプ１７内のエアーと外パイプ１２内の水は、先端金具１１に設けられた数箇所のスリワリ１１ａによって合流し、先端金具１１内の１１ｂ混合エリアにて混合し、良好なスプレー状態となってファイバーの周囲から、治療部へ噴出する。
【００１０】
図３（Ａ）はハンドピース先端部分とハンドピース本体部とを組立てた状態であり、図３（Ｂ）は分離した状態を示す。ハンドピースの先端部は先端継手１３により、本体継手１５にＯリング１４によって嵌合し、着脱自在である。これにより先端カバー１６および本体カバー２０のネジにより、ハンドピースの先端部はハンドピース本体部に自在に装着あるいは脱着ができる。それにより治療形態により異なる形状の先端部との交換や、先端部のみの洗浄やオートクレーブ滅菌等が可能である。
【図面の簡単な説明】
【００１１】
【図１】本考案のレーザーハンドピースの一実施例を示す全体の断面図である。
【図２】（Ａ）は、上記レーザーハンドピースの先端部分の断面形状を示し、（Ｂ）はその詳細図である。
【図３】（Ａ）は、本考案の一実施例の先端部分を組立てた状態の、（Ｂ）は分離した状態の説明図である。
【図４】従来のハンドピースの概略構成を示す、断面図である。
【符号の説明】
【００１２】
１  ファイバー
２  水パイプ
３  エアーパイプ
４  水パイプガイド
５  ケース先端
６  ケース本体
１１  先端金具
１２  外パイプ
１３  先端継手
１４  Oリング
１５  本体継手
１６  先端カバー
１７  中パイプ
１８  水パイプ
１９  エアーパイプ
２０  本体カバー
２１  スプリング
２２  ジョイント
２３  平行ピン
２４  レバー
２５  Oリング
【図１】
0003124848.tif 000003
【図２】
0003124848.tif 000004
【図３】
0003124848.tif 000005
【図４】
0003124848.tif 000006
【手続補正書】
【提出日】平成18年7月10日(2006.7.10)
【手続補正１】
【補正対象書類名】図面
【補正対象項目名】全図
【補正方法】変更
【補正の内容】
【図１】
0003124848.tif 000007
【図２】
0003124848.tif 000008
【図３】
0003124848.tif 000009
【図４】
0003124848.tif 000010
【図５】
0003124848.tif 000011
【手続補正２】
【補正対象書類名】明細書
【補正対象項目名】全文
【補正方法】変更
【補正の内容】
【考案の詳細な説明】
【技術分野】
【０００１】
本考案はレーザーハンドピースに関するものであり、さらに詳しくは歯科医療用のレーザーハンドピースに関するものである。
【背景技術】
【０００２】
従来の歯科用レーザーハンドピースでは、レーザー導光用のファイバーをハンドピース先端に導くパイプ内に水を通し、エアーを別のパイプから吹き付けて先端にて水と混合し、スプレーにして加療部を冷却していた。
【考案の開示】
【考案が解決しようとする課題】
【０００３】
図５は従来の歯科用レーザーハンドピースの構造で、水パイプ２の内部にファイバー１を通している。ファイバー１をハンドピース先端に導く水パイプ２内に冷却用の水を通すと、水パイプ２内部に錆が発生した場合、ファイバー１の動きがスムースでなくなり折れやくなる。またエアーを別に設置したエアーパイプ３から吹き付けるために、使用する角度によってはスプレー状態になり難く、加療部位を確実に冷却し難い。また水パイプ２とエアーパイプ３とが上下に重なった構造であるため、狭い口腔内では使い難いうえ外観も良くない。またハンドピースの先端部のみの着脱が出来ないから、その部分の交換や滅菌も出来なかった。本案は光ファイバーとエアー・水のパイプを一本化し、前述の欠点を解決しようとするものである。
【課題を解決するための手段】
【０００４】
請求項１の考案は、レーザー光を照射するファイバー及び冷却用エアーを通すエアーパイプと、冷却用水を通す水パイプを、ハンドピースの先端部分に一体となして装着した、レーザーハンドピースである。従って治療時の口腔内での使い勝手が良くなり、また水・エアーパイプの位置関係などによってスプレー状態が変わることもなく、いかなる位置や角度で使用しても、一定のスプレーが得られるなどの効果がある。
【０００５】
請求項２の考案は、先端部にファイバーを中心に位置決めするための狭窄部分を有し、かつその部分に隣接して設けたエアーと水の混合エリアには、冷却用エアーを導入するスリワリを有する先端金具を装着した、レーザーハンドピースである。従って治療時にレーザー光を照射するファイバーを正確にハンドピースの先端部中心に位置させて、確実に加療部位にレーザー光が照射でき、かつエアーと水の良好なスプレー状態が得られ、治療時に確実に加療部位に吹き付けて冷却できるなどの効果がある。
【０００６】
請求項３の考案は、先端部からレーザー光やエアー・水の冷却スプレーが放射でき、かつケース本体部を有するハンドピース本体と着脱容易な構造の先端継手を備え、ハンドピース本体からハンドピース先端部分のみの着脱交換が容易なレーザーハンドピースである。従ってハンドピース先端部分を取り外して、オートクレーブ滅菌や交換ができるなどの効果がある。
【考案の効果】
【０００７】
ハンドピース本体内部の本体継手にて、エアーを通すファイバー用パイプと水用パイプを結合させ、これに嵌合する先端継手により、ファイバーとエアーパイプおよび水パイプを一体化構造にする。先端のパイプが一本化されたことにより、治療時の口腔内での使い勝手が良くなり、また水・エアーパイプの位置関係などによってスプレー状態が変わることもなく、いかなる位置や角度で使用しても、一定のスプレーが得られる。またパイプ先端に設置した先端金具により、先端部が狭窄しているためレーザー光を照射するファイバーが、正確にパイプの中心に位置するため治療の際の精度が良くなり、かつ水とエアーが噴出前に混合され、ファイバーの周囲からスプレーとなって治療部位に噴出するため、加療時のレーザー光の照射や冷却状態も安定する。また先端継手にてファイバーとエアーパイプおよび水パイプを一体化することにより、先端のファイバーおよびパイプが一本化され、治療時あるいは治療後に先端部のみの着脱が容易な構造になり、先端部の交換や洗浄あるいはオートクレーブ等による滅菌も可能である。
【実施例】
【０００８】
以下図１ないし図３に従って一実施例を説明する。図１はハンドピースの全体を示し、レーザー機器本体よりハンドピースへそれぞれチューブによって導かれた水およびエアーは、継手を介して水パイプ１８と、エアーパイプ１９によりファイバー１及びエアーが、それぞれ本体継手１５へ導かれる。これにＯリング１４を介して嵌合する先端継手１３によって、中心のファイバー１とエアーおよび水はハンドピースの先端部分で三層の一体構造となり、中パイプ１７および外パイプ１２によってハンドピースの先端に導かれる。
【０００９】
図２（Ａ）は、ハンドピースの先端部分の構造を示す。図２（Ｂ）は先端金具１１部分の詳細図で、ファイバー１は先端金具１１の先端部の狭窄構造により、ハンドピース先端や、ファイバー１の周囲より噴出するスプレーの中心となるよう、位置決めされる。中パイプ１７内のエアーと外パイプ１２内の水は、先端金具１１に設けられた数箇所のスリワリ１１ａによって合流し、先端金具１１内の１１ｂ混合エリアにて混合し、良好なスプレー状態となってファイバーの周囲から、治療部へ噴出する。
【００１０】
図３はハンドピース先端部分とハンドピース本体部とを組立てた状態であり、図４は分離した状態を示す。ハンドピースの先端部は先端継手１３により、本体継手１５にＯリング１４によって嵌合し、着脱自在である。これにより先端カバー１６および本体カバー２０のネジにより、ハンドピースの先端部はハンドピース本体部に自在に装着あるいは脱着ができる。それにより治療形態により異なる形状の先端部との交換や、先端部のみの洗浄やオートクレーブ滅菌等が可能である。
【図面の簡単な説明】
【００１１】
【図１】本考案のレーザーハンドピースの一実施例を示す全体の断面図である。
【図２】（Ａ）は、上記レーザーハンドピースの先端部分の断面形状を示し、（Ｂ）はその詳細図である。
【図３】本考案の一実施例の先端部分を組立てた状態の断面図である。
【図４】本考案の一実施例の先端部分を分離した状態の断面図である。
【図５】従来のハンドピースの概略構成を示す、断面図である。
【符号の説明】
【００１２】
１  ファイバー
２  水パイプ
３  エアーパイプ
４  水パイプガイド
５  ケース先端
６  ケース本体
１１  先端金具
１２  外パイプ
１３  先端継手
１４  Oリング
１５  本体継手
１６  先端カバー
１７  中パイプ
１８  水パイプ
１９  エアーパイプ
２０  本体カバー
２１  スプリング
２２  ジョイント
２３  平行ピン
２４  レバー
２５  Oリング